(57)【要約】【課題】  防塵手段の清掃を効率よく行い、適正な光を被露光媒体に与える画像読取装置を提供する。【解決手段】  フィルムスキャナ１０では、レーンチェンジユニット２０によって読取位置を切り替え、フィルムキャリア１２の搬送レーン２６ａ，２６ｂのいずれか一方を搬送されるフィルムに向けて光源ユニット１４から光を発し、スキャナカメラユニット１６によってフィルムに形成される画像の像（光）をデジタルデータに変換する。光源ユニット１４とキャリアベース２４との間に挟まれるように清掃手段３６が配置される。光照射部３０を跨ぐ位置に清掃手段３６の連結部４０が配置されるとき、連結部４０に設けられた清掃部４２と防塵ガラス３４の主面とが接する。【選択図】      図１
2005223746.tif 000002
【特許請求の範囲】
【請求項１】
画像が形成される被露光媒体を所定の搬送方向に向けて搬送する搬送手段、
前記搬送手段によって搬送される前記被露光媒体に向けて光を発する光源手段、
前記光源手段に取り付けられ前記光源手段への塵埃の侵入を防ぐ透光性の防塵手段、
前記被露光媒体を経由した光を結像する結像手段と前記結像手段によって結像された光を検出し電気信号に変換する光電変換手段とを含み前記被露光媒体に形成される画像を読み取るための読取手段、および
前記防塵手段の主面上に付着する塵埃を除去するために前記防塵手段の主面上を相対的に摺動可能な清掃部を含み前記搬送手段からみて前記光源手段側に設けられる清掃手段を備える、画像読取装置。
【請求項２】
前記搬送手段は前記搬送方向と直交する方向に並ぶ複数の搬送路を含み、
前記光源手段と前記読取手段とを連結しかつ前記光源手段と前記読取手段と共に移動可能な連結手段、および
前記複数の搬送路のうち任意の搬送路に対応する読取位置に前記光源手段と前記読取手段とを配置できるように前記連結手段を介して前記光源手段と前記読取手段とを前記搬送方向と直交する方向に移動させる位置切替手段をさらに備え、
隣接する２つの搬送路に対応する２つの読取位置の間かつ前記光源手段が前記被露光媒体に向けて発する光の光路上でない位置に前記清掃部を配置することで一方の搬送路に対応する読取位置から他方の搬送路に対応する読取位置に前記光源手段と前記読取手段とが移動するとき前記防塵手段の主面上に付着する塵埃が前記清掃部によって除去される、請求項１に記載の画像読取装置。
【請求項３】
前記清掃手段は着脱可能に設けられる、請求項１または請求項２に記載の画像読取装置。
【発明の詳細な説明】
【技術分野】
【０００１】
この発明は画像読取装置に関し、より特定的には、光源手段から画像が形成される被露光媒体に向けて光を発する画像読取装置に関する。
【背景技術】
【０００２】
一般に、画像読取装置として、被露光媒体の一例である写真用のフィルムから画像を読み取るためのフィルムスキャナが知られている。
フィルムスキャナでは、フィルムキャリア上のフィルムに向けて光源ユニットから光を発し、フィルムを透過した光をスキャナカメラユニットによってデジタルデータに変換し、フィルムに形成される画像を読み取る。
【０００３】
このようなフィルムスキャナに用いられる光源ユニットには、光源ユニット内への塵埃の侵入を防ぐため、フィルムキャリアに向けて発する光の光路上に防塵ガラス等が取り付けられる。特に、フィルムキャリアの下方に光源ユニットを配置し、下方から上方に向けて光を発するように構成されるフィルムスキャナの場合、防塵ガラスによって上方から落下する塵埃の光源ユニット内への侵入が防止され、防塵ガラスは重要な役割を果たす。
【０００４】
防塵ガラスの主面上に付着した塵埃は、フィルムに与えられる光の光量低下や光量斑の原因となるので、必要に応じて防塵ガラスの清掃が行われる。フィルムキャリアは光源ユニットに近設されることが多く、フィルムスキャナからフィルムキャリアを取り外し、布等を用いて防塵ガラスの主面上に付着する塵埃を拭き取ることで防塵ガラスの清掃が行われる。また、フィルムキャリアを取り付けた状態では、たとえば、エアブロー等によって防塵ガラスの主面上に空気を噴き付けて付着する塵埃を飛散させることで、防塵ガラスの清掃が行われる。
【発明の開示】
【発明が解決しようとする課題】
【０００５】
しかし、防塵ガラスの清掃を行うためにフィルムスキャナからフィルムキャリアを取り外すのは煩わしいという問題があった。また、エアブローによって防塵ガラスの清掃を行っても、飛散した塵埃が再び防塵ガラスの主面上に付着し、光量低下や光量斑の原因となる恐れがあった。
【０００６】
それゆえに、この発明の主たる目的は、防塵手段の清掃を効率よく行い、適正な光を被露光媒体に与えることができる、画像読取装置を提供することである。
【課題を解決するための手段】
【０００７】
上述の目的を達成するために、請求項１に記載の画像読取装置は、画像が形成される被露光媒体を所定の搬送方向に向けて搬送する搬送手段、搬送手段によって搬送される被露光媒体に向けて光を発する光源手段、光源手段に取り付けられ光源手段への塵埃の侵入を防ぐ透光性の防塵手段、被露光媒体を経由した光を結像する結像手段と結像手段によって結像された光を検出し電気信号に変換する光電変換手段とを含み被露光媒体に形成される画像を読み取るための読取手段、および防塵手段の主面上に付着する塵埃を除去するために防塵手段の主面上を相対的に摺動可能な清掃部を含み搬送手段からみて光源手段側に設けられる清掃手段を備える。
【０００８】
請求項２に記載の画像読取装置は、請求項１に記載の画像読取装置において、搬送手段は搬送方向と直交する方向に並ぶ複数の搬送路を含み、光源手段と読取手段とを連結しかつ光源手段と読取手段と共に移動可能な連結手段、および複数の搬送路のうち任意の搬送路に対応する読取位置に光源手段と読取手段とを配置できるように連結手段を介して光源手段と読取手段とを搬送方向と直交する方向に移動させる位置切替手段をさらに備え、隣接する２つの搬送路に対応する２つの読取位置の間かつ光源手段が被露光媒体に向けて発する光の光路上でない位置に清掃部を配置することで一方の搬送路に対応する読取位置から他方の搬送路に対応する読取位置に光源手段と読取手段とが移動するとき防塵手段の主面上に付着する塵埃が清掃部によって除去されることを特徴とする。
【０００９】
請求項３に記載の画像読取装置は、請求項１または請求項２に記載の画像読取装置において、清掃手段は着脱可能に設けられることを特徴とする。
【００１０】
請求項１に記載の画像読取装置では、清掃手段または防塵手段を動かすことで清掃部が防塵手段の主面上を相対的に摺動し、防塵手段の主面上に付着する塵埃を除去する。したがって、画像読取装置から搬送手段を取り外す必要がない上に、除去された塵埃が再び防塵ガラスの主面上に付着することもなく、防塵手段の清掃を効率よく行うことができ、適正な光を被露光媒体に与えることができる。
【００１１】
複数種類の被露光媒体から画像を読み取るために、複数の搬送路を有する搬送手段を用いる画像読取装置が知られている。このような画像読取装置では、種類の異なる被露光媒体から画像を読み取る際に搬送手段を取り替える必要がなく、搬送手段を強固に固定するように構成されているので、逆に搬送手段の取り外しが煩わしくなる。請求項２に記載の画像読取装置では、隣接する２つの搬送路に対応する２つの読取位置の間かつ光源手段が被露光媒体に向けて発する光の光路上でない位置に清掃部を配置することで、一方の搬送路に対応する読取位置から他方の搬送路に対応する読取位置に光源手段と読取手段とが移動するとき防塵手段の主面上に付着する塵埃が除去される。したがって、画像読取装置から強固に固定されている搬送手段を取り外す必要がない上に、清掃手段を動かさずとも読取位置の切り替えに伴って自動的に防塵手段の清掃を行うことができる。
【００１２】
請求項３に記載の画像読取装置では、画像読取装置から清掃手段を取り外すことができるので、清掃部の清掃や取り替えが容易となる。
【発明の効果】
【００１３】
この発明によれば、防塵手段の清掃を効率よく行い、適正な光を被露光媒体に与えることができる。
【発明を実施するための最良の形態】
【００１４】
以下、図面を参照して、この発明の実施の形態について説明する。
図１から図３を参照して、この発明の一実施形態のフィルムスキャナ１０は、被露光媒体の一例である写真用のフィルムを搬送するフィルムキャリア１２、フィルムキャリア１２に向けて光を発する光源ユニット１４、フィルムを透過した光をデジタルデータに変換するスキャナカメラユニット１６、光源ユニット１４とスキャナカメラユニット１６とを連結する連結部材１８、および連結部材１８を介して連結される光源ユニット１４とスキャナカメラユニット１６とを移動させるレーンチェンジユニット２０を含む。
【００１５】
図１に示すように、フィルムキャリア１２は、ベース２２上に設けられるキャリアベース２４上に図示しないボルト等によって取り付けられる。
フィルムキャリア１２は、上部キャリア１２ａと下部キャリア１２ｂとによって構成される。下部キャリア１２ｂには、矢印Ａ方向に並び矢印Ａ方向の幅寸法がそれぞれ異なる２つの搬送レーン（搬送路）２６ａ，２６ｂが設けられる。２つの搬送レーン２６ａ，２６ｂ上には、それぞれ種類（幅寸法）の異なるフィルムが配置される。たとえば、搬送レーン２６ａは矢印Ａ方向の幅寸法３６ｍｍの１３５フィルムに対応し、搬送レーン２６ｂは矢印Ａ方向の幅寸法２４ｍｍの２４０フィルムに対応する。
【００１６】
フィルムキャリア１２は、下部キャリア１２ｂに設けられる図示しないローラを回転させることによって、搬送レーン２６ａあるいは２６ｂ上に配置されるフィルムを矢印Ａ方向と直交する方向（矢印Ｂ方向：図２参照）に向けて搬送する。
【００１７】
また、キャリアベース２４内には、光源ユニット１４が矢印Ａ方向に移動可能に配置される。光源ユニット１４は、発光体であるＬＥＤ（Light Emitting Diode）２８を含み、光照射部３０から上方に配置されるフィルムキャリア１２に向けて光を発する。
なお、光源ユニット１４に用いられる発光体はＬＥＤ２８に限らず、たとえばハロゲンランプ等でもよい。
【００１８】
図２に示すように、光源ユニット１４の光照射部３０はキャリアベース２４に設けられるスリット３２から突出し、光照射部３０の主面（フィルムキャリア１２と対向する面）には、光源ユニット１４への塵埃の侵入を防ぐために防塵ガラス３４が取り付けられる。
なお、図２では、キャリアベース２４上からフィルムキャリア１２を取り外した状態が示されている。
【００１９】
また、防塵手段として用いられる部材は透光性の部材であれば防塵ガラス３４に限定されない。防塵ガラス３４に替えて、たとえばディフェーザやレンズなどを用いるようにしてもよい。
【００２０】
また、光源ユニット１４とキャリアベース２４との間には、防塵ガラス３４の清掃を行うための清掃手段３６が配置される。清掃手段３６は、キャリアベース２４に設けられる開口部２５から把持部３８が突出し、連結部４０がキャリアベース２４のスリット３２内に位置するように光源ユニット１４上に配置される。清掃手段３６の把持部３８を矢印Ａ方向に移動させることによって、連結部４０がスリット３２内を矢印Ａ方向に移動する。
【００２１】
ここで、図４および図５を参照して、清掃手段３６について詳しく説明する。
図４に示すように、清掃手段３６の本体には操作性を高めるための把持部３８が形成される。また、清掃手段３６の本体には、光照射部３０の矢印Ｂ方向の幅寸法よりもわずかに広い間隔を有して矢印Ａ方向に延びる２本の細板部３６ａが設けられる。２本の細板部３６ａの先端部は連結部４０によって連結される。連結部４０には、防塵ガラス３４の主面（フィルムキャリア１２と対向する面）に付着した塵埃を除去するためのたとえば圧縮ウレタンからなる清掃部４２が設けられる。
【００２２】
図５に示すように、光源ユニット１４とキャリアベース２４との間に細板部３６ａが挟まれるように清掃手段３６が配置される。光照射部３０を跨ぐ位置に連結部４０が配置されるとき、連結部４０に設けられた清掃部４２と防塵ガラス３４の主面とが接する。
【００２３】
図１に戻って、光源ユニット１４には連結部材１８が取り付けられ、連結部材１８の端部１８ａにはボルト４１によって読取手段たるスキャナカメラユニット１６が固定される。
【００２４】
スキャナカメラユニット１６はレンズユニット４４とＣＣＤユニット４６とを含む。連結部材１８を介して光源ユニット１４とスキャナカメラユニット１６とが連結された状態では、光源ユニット１４が発する光の光路上にスキャナカメラユニット１６のレンズユニット４４とＣＣＤユニット４６とが配列される。
【００２５】
レンズユニット４４は、ズームレンズ４８を含み、搬送レーン２６ａあるいは２６ｂ上のフィルムに形成される画像の像をＣＣＤユニット４６のラインＣＣＤセンサ５０に投影する。
【００２６】
ＣＣＤユニット４６は、ラインＣＣＤセンサ５０とＡ／Ｄ変換器５２とを含む。ラインＣＣＤセンサ５０の受光面には、赤色（Ｒ）、緑色（Ｇ）、青色（Ｂ）に対応する受光素子（ＣＣＤ素子）がそれぞれ矢印Ａ方向に多数（たとえば５０００個）配列される。各ＣＣＤ素子は受けた光（像）をそれぞれアナログデータに変換し、Ａ／Ｄ変換器５２に入力する。Ａ／Ｄ変換器５２は、ラインＣＣＤセンサ５０から入力されたアナログデータをデジタルデータに変換して出力する。
【００２７】
また、連結部材１８にはレーンチェンジユニット２０のネジ受け部５４が取り付けられる。
【００２８】
レーンチェンジユニット２０は、連結部材１８を介して連結される光源ユニット１４とスキャナカメラユニット１６とを搬送レーン２６ａに対応した読取位置（１３５フィルム読取位置）から搬送レーン２６ｂに対応した読取位置（２４０フィルム読取位置）へあるいは２４０フィルム読取位置から１３５フィルム読取位置へと移動させる。
【００２９】
レーンチェンジユニット２０は、ネジ受け部５４と送りネジ５６とレーンチェンジモータ５８とを含む。
【００３０】
ネジ受け部５４は連結部材１８に取り付けられ、ネジ受け部５４に設けられる雌ネジ部５４ａには図示しないネジ溝が形成される。
【００３１】
送りネジ５６は、ベース２２上に取り付けられる支持板６０によって回転可能に支持される。支持板６０を貫通する送りネジ５６の端部には、ギヤ６２が取り付けられる。また、送りネジ５６には、ネジ受け部５４の雌ネジ部５４ａに対応する図示しないネジ山が形成されている。これによって送りネジ５６がネジ受け部５４に螺合される。
【００３２】
レーンチェンジモータ５８は、支持板６０に回転軸を貫通して取り付けられ、回転軸の端部にはギヤ６４が取り付けられる。レーンチェンジモータ５８を駆動しギヤ６４を回転させることで、支持板６０に取り付けられる図示しない複数のギヤを介して、ギヤ６２ひいては送りネジ５６が回転する。ネジ受け部５４に螺合される送りネジ５６が回転することによって、ネジ受け部５４が取り付けられる連結部材１８および連結部材１８を介して連結される光源ユニット１４とスキャナカメラユニット１６とが矢印Ａ方向に移動する。つまり、１３５フィルム読取位置から２４０フィルム読取位置へあるいは２４０フィルム読取位置から１３５フィルム読取位置へと読取位置の切り替えが行われる。
【００３３】
すなわち、フィルムスキャナ１０では、レーンチェンジユニット２０によって読取位置を切り替え、搬送レーン２６ａ，２６ｂのいずれか一方を搬送されるフィルムに向けて光源ユニット１４から光を発し、スキャナカメラユニット１６によってフィルムに形成される画像の像（光）をデジタルデータに変換する。
【００３４】
なお、図１では、１３５フィルム読取位置に光源ユニット１４およびスキャナカメラユニット１６が配置されている場合について示されている。
【００３５】
図３に示すように、スキャナカメラユニット１６から出力されたデジタルデータは制御ユニット６６に入力される。制御ユニット６６は、各種プログラムやデータを記憶する図示しないハードディスクドライブ（ＨＤＤ：ハードディスクを含む）を含み、スキャナカメラユニット１６から入力されるデジタルデータを画像データとしてＨＤＤに記録する。
【００３６】
また、制御ユニット６６にはＣＲＴ等の表示部６８が接続され、スキャナカメラユニット１６から出力されるデジタルデータは、制御ユニット６６を介して表示部６８にフィルムに形成されるコマ画像として表示される。
【００３７】
さらに、制御ユニット６６にはキーボードやマウス等の入力部７０が接続され、入力部７０から種々の設定やデータ入力等が行われる。制御ユニット６６は、入力部７０から入力される情報やフィルムスキャナ１０の各構成要素から入力される情報に基づき、フィルムスキャナ１０の動作を制御する。具体的に、制御ユニット６６は、レーンチェンジモータ５８の回転方向および回転角度の制御や読取位置の切り替えに伴うズームレンズ４８の合焦制御等を行う。
【００３８】
上述のように構成されるフィルムスキャナ１０では、清掃手段３６を所定の位置に配置し、光源ユニット１４を移動させる（読取位置の切り替えを行う）ことで防塵ガラス３４の主面が自動的に清掃される。
【００３９】
図６（ａ）および図６（ｂ）を参照して、自動清掃における清掃手段３６の位置および光源ユニット１４の移動について説明する。図６（ａ）および図６（ｂ）においては、１３５フィルム読取位置から２４０フィルム読取位置へと読取位置の切り替えを行う場合について説明する。
【００４０】
まず、図６（ａ）に示すように、把持部３８が開口部２５から離れるように清掃手段３６を矢印Ａ方向に動かし、清掃手段３６を待機位置から自動清掃位置に移動させる。
「待機位置」とは、スリット３２内において連結部材１８側の端部に連結部４０が配置される、清掃手段３６の位置をいう。具体的には、図６（ａ）において破線で示す清掃手段３６の位置をいう。
【００４１】
また、「自動清掃位置」とは、スリット３２内において、連結部４０が上方に配置される搬送ユニット１２の搬送レーン２６ａ，２６ｂの間に配置されかつ連結部４０が搬送レーン２６ａあるいは２６ｂに向けて光照射部３０から発せられる光の光路上に配置されない、清掃手段３６の位置をいう。具体的には、図６（ａ）において実線で示す清掃手段３６の位置をいう。
【００４２】
なお、清掃手段３６の細板部３６ａに待機位置と自動清掃位置とにそれぞれ対応する２つの目印を設け、これらを開口部２５に設けた目印と一致させることで待機位置あるいは自動清掃位置に清掃手段３６を正確に位置決めできるようにしてもよい。また、待機位置あるいは自動清掃位置に配置した清掃手段３６をキャリアベース２４に設けられた固定手段によって固定するようにしてもよい。
【００４３】
清掃手段３６が自動清掃位置に配置されている状態で、１３５フィルム読取位置から２４０フィルム読取位置へと読取位置の切り替えを行うことによって、図６（ｂ）に示すように、光源ユニット１４の光照射部３０が矢印Ａ方向に破線で示す位置から実線で示す位置に移動する。光照射部３０の移動に伴って防塵ガラス３４の主面に付着した塵埃が連結部４０に設けられた清掃部４２（図５参照）によって除去される（拭き取られる）。
【００４４】
なお、図６（ａ）および図６（ｂ）では、１３５フィルム読取位置から２４０フィルム読取位置へと読取位置の切り替えを行う場合についてしたが、清掃手段３６を自動清掃位置に配置することで２４０フィルム読取位置から１３５フィルム読取位置へと読取位置の切り替えを行っても防塵ガラス３４を清掃できることは言うまでもない。
【００４５】
また、清掃手段３６がいずれの位置にあっても、人手によって矢印Ａ方向に把持部３８を動かすことによって防塵ガラス３４を清掃できることは言うまでもない。
【００４６】
ついで、図７および図８を参照して、キャリアベース２４からの清掃手段３６の取り外し、ひいてはフィルムスキャナ１０からの清掃手段３６の取り外しについて説明する。
【００４７】
まず、図７に示すように、光源ユニット１４が２４０フィルム読取位置にあるときに、清掃手段３６を図７において破線で示す待機位置から取り外し位置に移動させる。
「取り外し位置」とは、スリット３２内において開口部２５側の端部に連結部４０が配置される、清掃手段３６の位置をいう。具体的には、図７において実線で示す清掃手段３６の位置をいう。
【００４８】
ついで、図８に示すように、細板部３６ａとキャリアベース２４との接点を支点とし、開口部２５を連結部４０が通過できる角度まで清掃手段３６を傾ける。そして、図８において破線で示すように、清掃手段３６をキャリアベース２４から引き抜くように上方に移動させる。これによってキャリアベース２４から清掃手段３６を取り外すことができる。
【００４９】
なお、光源ユニット１４を２４０フィルム読取位置まで移動させずとも、清掃手段３６の下方に開口部２５を連結部４０が通過できる角度まで清掃手段３６を傾けることができる空間があれば、キャリアベース２４から清掃手段３６を取り外すことができる。
【００５０】
このようなフィルムスキャナ１０によれば、防塵ガラス３４を清掃する際にキャリアベース２４からフィルムキャリア１２を取り外す必要がない上に、防塵ガラス３４の清掃後に除去された塵埃が再び防塵ガラス３４の主面上に付着することもなく、防塵ガラス３４の清掃を効率よく行うことができ、適正な光をフィルムに与えることができる。
【００５１】
また、清掃手段３６を自動清掃位置に配置することで、読取位置の切り替えに伴って自動的に防塵ガラス３４の清掃を行うことができ、清掃手段３６を人手によって矢印Ａ方向に動かす必要もない。
【００５２】
さらに、清掃手段３６をフィルムスキャナ１０から簡単に取り外すことができ、清掃部４２の清掃や取り替えを行うことができる。
【００５３】
なお、上述の実施形態では連結部４０に清掃部４２として圧縮ウレタンを設けた清掃手段３６について説明したが、たとえば、清掃部４２としてゴムブレード、植毛布、植毛紙、粘着ローラ等を用い、それぞれに対応する連結部４０を取り付けた清掃手段３６を用いるようにしてもよい。また、吸引装置を取り付けた清掃手段３６を用いるようにしてもよい。
【００５４】
また、上述の実施形態では、フィルムキャリア１２に１３５フィルムを搬送する搬送レーン２６ａと２４０フィルムを搬送する搬送レーン２６ｂが設けられる場合について説明したが、フィルムキャリア１２が搬送するフィルムの種類および組合せは限定されない。たとえば、フィルムキャリア１２に１３５フィルムを搬送する搬送レーン２６ａと２２０フィルムを搬送する搬送レーン２６ｂとを設けるようにしてもよい。
【００５５】
さらに、上述の実施形態では、フィルムキャリア１２が２つの搬送レーンを有する場合について説明したが、フィルムキャリア１２の搬送レーンの数は特に限定されない。
【００５６】
また、上述の実施形態では、フィルムを透過した光に基づいて画像を読み取るフィルムスキャナについて説明したが、光源手段から光を発する画像読取装置であればこの発明を適用できる。たとえば、光源手段から印画紙等の非透光性の被露光媒体に向けて光を発し、当該被露光媒体を反射した光に基づいて画像を読み取る画像読取装置にもこの発明を適用できる。
【図面の簡単な説明】
【００５７】
【図１】この発明が適用されるフィルムスキャナの一例を示す断面図解図である。
【図２】フィルムキャリアを取り外した図１のフィルムスキャナを示す外観斜視図である。
【図３】図１のフィルムスキャナを示すブロック図である。
【図４】図１のフィルムスキャナに用いられる清掃手段の一例を示す外観斜視図である。
【図５】光源ユニットとキャリアベースとの間に配置される清掃手段の清掃部と防塵ガラスの位置関係を示す図解図である。
【図６】自動清掃位置に配置される清掃手段と光源ユニットの位置関係を示す図解図であり、（ａ）は光源ユニットが１３５フィルム読取位置にある場合を示し、（ｂ）は光源ユニットが２４０フィルム読取位置にある場合を示す。
【図７】取り外し位置に配置される清掃手段とキャリアベースおよび光源ユニットとの位置関係を示す断面図解図である。
【図８】清掃手段のキャリアベースからの取り外し態様を示す断面図解図である。
【符号の説明】
【００５８】
１０      フィルムスキャナ
１２      フィルムキャリア
１４      光源ユニット
１６      スキャナカメラユニット
１８      連結部材
２０      レーンチェンジユニット
２４      キャリアベース
２６ａ，２６ｂ      搬送レーン
３０      光照射部
３２      スリット
３４      防塵ガラス
３６      清掃手段
４０      連結部
４２      清掃部
【図１】
2005223746.tif 000003
【図２】
2005223746.tif 000004
【図３】
2005223746.tif 000005
【図４】
2005223746.tif 000006
【図５】
2005223746.tif 000007
【図６】
2005223746.tif 000008
【図７】
2005223746.tif 000009
【図８】
2005223746.tif 000010